(57)【要約】　　　（修正有）【課題】光ディスク装置において、トレイの振動を低減することにある。また、光ディスク装置の前面側から侵入する埃を低減することにある。さらに、光ディスク装置の前面側から漏れる運転音を低減することにある。【解決手段】クランパ７の前面側に固定部８１を設け、トレイ６が読出位置に収納された場合に、ディスククランプ部７２がディスク１００をクランプすると同時に、固定部８１がトレイ６の蓋部６１に隣接する後側でトレイ６を挟み込んで固定する。【選択図】　　　図２
2004039192.tif 000002
【特許請求の範囲】
【請求項１】
装置本体と、
前記装置本体の外部に配置される取出位置と前記装置本体の内部に収納される読出位置との間を移動可能であり、光ディスクを取り付るためのトレイと、
前記装置本体内部において前記トレイの下方に配置されるテーブルと、
前記装置本体内部に配置され、前記トレイが読出位置にある場合に前記光ディスクを前記テーブルと共に狭持するクランパと、
前記トレイを駆動するトレイ駆動用ギアと、
を備える光ディスク装置において、
前記トレイ駆動用ギアに、高さの異なる部分が形成されたクランパ昇降部を設け、
前記クランパに、
クランパ本体を後端部付近で上下方向に回動可能に支持する支持軸と、
前記支持軸に隣接して配置され、前記クランパ本体を下方に付勢するクランプ用スプリングと、
前記クランパ本体の前端部に配置され、前記トレイの蓋部の隣接する後側で前記トレイを挟み込んで固定するためのコ字部を有するトレイ連結板と、
前記クランパ昇降部の上面に接触する突起部とを設け、
前記トレイが前記取出位置に移動する場合に、前記突起部が前記クランパ昇降部の高い位置に移動することにより前記クランパが上方に移動し、前記光ディスクの挟持を解除すると共に、前記コ字部による前記トレイの固定を解除し、
前記トレイが前記読出位置に移動する場合に、前記突起部が前記クランパ昇降部の低い位置に移動することにより前記クランパが下方に移動し、前記光ディスクを挟持すると共に、前記コ字部により前記トレイを固定する、
ことを特徴とする光ディスク装置。
【請求項２】
装置本体と、
前記装置本体の外部に配置される取出位置と、前記装置本体の内部に収納される読出位置との間を移動可能であり、光ディスクを取り付るためのトレイと、
前記装置本体内部において前記トレイの下方に配置されるテーブルと、
前記装置本体内部に配置され、前記トレイが読出位置にある場合に、前記光ディスクを前記テーブルと共に狭持すると共に前記トレイを固定するクランパと、
前記トレイを駆動するトレイ駆動用ギアと、
を備える光ディスク装置。
【請求項３】
前記トレイ駆動用ギアは、高さの異なる部分が形成されたクランパ昇降部を備えており、
前記クランパは、
クランパ本体と、
前記クランパ本体を後端部付近で上下方向に回動可能に支持する支持軸と、
前記支持軸に隣接して配置され、前記クランパ本体を下方に付勢するクランプ用スプリングと、
前記クランパ本体の前端部に配置され、前記トレイを挟み込んで固定するためのコ字部を有するトレイ連結板と、
前記クランパ昇降部の上面に接触する突起部とを備える、
請求項２に記載の光ディスク装置。
【発明の詳細な説明】
【０００１】
【発明の属する技術分野】
本発明は、光ディスク装置、特に、ＣＤやＤＶＤなどの光ディスクの再生及び／又は記録用の光ディスク装置に関する。
【０００２】
【従来の技術】
図１は、従来の光ディスク装置の上面図である。
この光ディスク装置は、メカシャーシ１と、トレイ６と、クランパ７とを主に備えている。トレイ６は、メカシャーシ１に前後方向に移動可能に配置されている。またトレイ６は、蓋部６１と、ディスクに略合致する溝部６２と、往復ギア６３とを有している。クランパ７は、略中央にディスククランプ部７２を有しており、ディスククランプ部７２は着磁している。
【０００３】
この光ディスク装置では、トレイ６は、装置本体から外部に位置する取出位置と、装置本体内部に移動した読出位置との間を移動可能である。トレイ６の移動は、トレイ動作用モータ２の回転をベルト３、内側駆動用ギア４を介してトレイ駆動用ギア５に伝達し、トレイ駆動用ギア５の回転を往復ギア６３に直線運動として伝達する。これにより、トレイ６は前後方向に往復運動する。トレイ６が読出位置に到達するとディスク１００の下方からテーブル（図示せず）が上昇してディスク１００の下面に接触すると共に、ディスククランプ部７２が磁力によりテーブルに引き寄せられる。この結果、テーブル及びディスククランプ部７２によりディスク１００が挟持される。この状態で、テーブルによりディスク１００を回転させて記録及び再生を行なう。
【０００４】
【発明が解決しようとする課題】
このような光ディスク装置では、再生及び記録時に各種モータの振動、光ディスク自体の回転など（内乱）または装置本体外部からの振動（外乱）により、トレイ６が振動し、サーボ制御に影響を与えることがある。
また、トレイ６が装置本体に収納された状態でも、装置本体前面とトレイ６の蓋部６１との間に隙間があり、この隙間を介して埃が侵入して、光ディスクの再生及び記録に影響を与える恐れがある。また、この隙間を介して風圧や音圧が侵入して、サーボ制御に影響を与えることがある。
【０００５】
さらに、装置本体内部から上記隙間を介して運転音が外部に漏れる恐れもある。
内乱及び外乱による影響を低減する構成としては、例えば、特開２０００−２１０６７号公報に記載されているディスク装置がある。このディスク装置では、ディスクをカートリッジに収納し、このカートリッジを装置本体に収納する。このとき、左右のガイドと、カートリッジの複数の位置決め穴とによって、カートリッジを係止するため、カートリッジの振動が低減される。しかし、上記公報に記載されたディスク装置では、カートリッジに収納した光ディスクを使用するため、記録及び再生時にカートリッジから光ディスクを露出させる構成が必要となり、ディスク装置が複雑であり、光ディスクのコストも高い。
【０００６】
本発明の目的は、カートリッジを使用しない光ディスク装置において、トレイの振動を低減することにある。
また、本発明の別の目的は、光ディスク装置の前面側から侵入する埃を低減することにある。
また、本発明の別の目的は、光ディスク装置の前面側から侵入する風圧や音圧を低減することにある。
【０００７】
また、本発明の別の目的は、光ディスク装置の前面側から漏れる運転音を低減することにある。
【０００８】
【課題を解決するための手段】
第１発明に係る光ディスク装置は、装置本体と、装置本体の外部に配置される取出位置と装置本体の内部に収納される読出位置との間を移動可能であり、光ディスクを取り付るためのトレイと；装置本体内部においてトレイの下方に配置されるテーブルと；装置本体内部に配置され、トレイが読出位置にある場合に光ディスクをテーブルと共に狭持するクランパと；トレイを駆動するトレイ駆動用ギアと；を備える光ディスク装置において、以下の特徴を有する。
【０００９】
まず、トレイ駆動用ギアに、高さの異なる部分が形成されたクランパ昇降部を設ける。また、クランパに、クランパ本体を後端部付近で上下方向に回動可能に支持する支持軸と；支持軸に隣接して配置され、クランパ本体を下方に付勢するクランプ用スプリングと；クランパ本体の前端部に配置され、トレイの蓋部に隣接する後側でトレイを挟み込んで固定するためのコ字部を有するトレイ連結板と；クランパ昇降部の上面に接触する突起部と；を設ける。そして、トレイが取出位置に移動する場合に、突起部がクランパ昇降部の高い位置に移動することによりクランパが上方に移動し、光ディスクの挟持を解除すると共に、コ字部によるトレイの固定を解除する。一方、トレイが読出位置に移動する場合に、突起部がクランパ昇降部の低い位置に移動することによりクランパが下方に移動し、光ディスクを挟持すると共に、コ字部によりトレイを固定する。
【００１０】
この光ディスク装置によれば、クランパは、光ディスクをテーブルと共に挟持すると共に、コ字部によりトレイを固定するので、運転時のトレイの振動を低減し、サーボ制御などに与える影響を低減し得る。
また、クランパは、コ字部によりトレイの前面側を固定するので、トレイとフロントパネルの隙間から埃が入るのを防止し、防塵性を向上し得る。
【００１１】
また、クランパは、コ字部によりトレイの前面側を固定するので、トレイとフロントパネルの隙間から侵入する音圧や風圧を遮ることができ、サーボ制御に与える影響を低減し得る。
また、クランパは、コ字部によりトレイの前面側を固定するので、トレイとフロントパネルの隙間から外部に運転音が漏れるのを防止し、静寂性を向上し得る。
【００１２】
第２発明に係る光ディスク装置は、装置本体と；装置本体の外部に配置される取出位置と装置本体の内部に収納される読出位置との間を移動可能であり、光ディスクを取り付るためのトレイと；装置本体内部においてトレイの下方に配置されるテーブルと；装置本体内部に配置され、トレイが読出位置にある場合に、光ディスクをテーブルと共に狭持すると共にトレイを固定するクランパと；トレイを駆動するトレイ駆動用ギアと；を備えている。
【００１３】
この光ディスク装置によれば、クランパは、光ディスクをテーブルと共に挟持すると共に、コ字部によりトレイを固定するので、運転時のトレイの振動を低減し、サーボ制御などに与える影響を低減し得る。
第３発明に係る光ディスク装置は、第２発明に係る装置において、トレイ駆動用ギアは、高さの異なる部分が形成されたクランパ昇降部を備えている。また、クランパは、クランパ本体と；クランパ本体を後端部付近で上下方向に回動可能に支持する支持軸と；支持軸に隣接して配置され、クランパ本体を下方に付勢するクランプ用スプリングと；クランパ本体の前端部に配置され、トレイの蓋部に隣接する後側でトレイを挟み込んで固定するためのコ字部を有するトレイ連結板と；クランパ昇降部の上面に接触する突起部と；を備えている。
【００１４】
この光ディスク装置では、トレイが取出位置に移動する場合に、突起部がクランパ昇降部の高い位置に移動することによりクランパが上方に移動し、光ディスクの挟持を解除すると共に、コ字部によるトレイの固定を解除する。一方、トレイが読出位置に移動する場合に、突起部がクランパ昇降部の低い位置に移動することによりクランパが下方に移動し、光ディスクを挟持すると共に、コ字部によりトレイを固定する。
【００１５】
この光ディスク装置によれば、クランパは、コ字部によりトレイの前面側を固定するので、トレイとフロントパネルの隙間から埃が入るのを防止し、防塵性を向上し得る。
また、クランパは、コ字部によりトレイの前面側を固定するので、トレイとフロントパネルの隙間から侵入する音圧や風圧を遮ることができ、サーボ制御に与える影響を低減し得る。
【００１６】
また、クランパは、コ字部によりトレイの前面側を固定するので、トレイとフロントパネルの隙間から外部に運転音が漏れるのを防止し、静寂性を向上し得る。
【００１７】
【発明の実施の形態】
〔全体構成〕
図２は、本発明の一実施形態例に係る光ディスク装置の上面図である。図３はこの光ディスク装置の前面図、図４はこの光ディスク装置の右側面図、図５はこの光ディスク装置の左側面図である。
【００１８】
この光ディスク装置は、メカシャーシ１と、トレイ６と、クランパ７と、テーブル１０とを主に備えている。
メカシャーシ１の左側には、トレイ駆動用モータ２と、ベルト３と、内側駆動用ギア４と、トレイ駆動用ギア５とが設けられている。トレイ駆動用モータ２には、モータ軸プリーが取り付けられており、このモータ軸プリーにベルト３が連結されている。また、ベルト３は、他端において内側駆動用ギア４に一体化したプリーに連結されており、トレイ駆動用モータ２の回転を内側駆動用ギア４に伝達する。内側駆動用ギア４は、トレイ駆動用ギア５の下側ギアと組み合い、その回転をトレイ駆動用ギア５に伝達する。
【００１９】
トレイ６は、メカシャーシ１に前後方向に移動可能に配置されている。トレイ６は、前端部に蓋部６１を有しており、上面にはディスク１００に略合致する溝部６２を有している。また、トレイ６は、トレイ駆動用ギア５に噛み合う往復ギア６３を有している。トレイ駆動用ギア５の回転が往復ギア６３に伝達されると、トレイ６は前後方向に移動する。
【００２０】
クランパ７は、図５に示すように、クランプ用スプリング７４により下方に付勢されて、トレイ６の上方に配置されている。クランパ７は、クランパ本体７１と、ディスククランプ部７２と、突起部７３と、クランプ用スプリング７４と、支持軸７５とを有している。ディスククランプ部７２は、クランパ本体７１の略中央に上下方向に移動可能に配置されており、に着磁している。突起部７３は、クランパ本体７１のトレイ駆動用ギア５の側に形成されている。突起部７３は、トレイ駆動用ギア５の上面に接触するように配置されている。クランプ用スプリング７４は、図５に示すように、後端部付近においてクランパ本体７１を下方に付勢している。支持軸７５は、クランプ用スプリング７４に隣接する前側において、クランパ本体７１を上下方向に回動可能に支持している。
【００２１】
また、クランパ７は、トレイ連動板８を有している。トレイ連動板８は、固定部８１と、固定部８１をクランパ本体７１に固定するための連結棒８２とを有している。固定部８１は、図３及び図５に示すように、トレイ６の蓋部６１に隣接する後側でトレイ６を挟み込むようにコ字型に形成されている。
また、トレイ６の下方には、図３に示すように、テーブル１０がメカシャーシ１に支持されて配置されている。テーブル１０は、ピックアップ駆動用モータ１１と、ディスク回転モータ１２とを備えている。ディスク回転モータ１２には、図４に示すように、ディスク固定部１３が取り付けられている。ディスク固定部１３は、金属で形成されている。
【００２２】
図６は、トレイ駆動用ギア５の拡大図である。トレイ駆動用ギア５は、上側ギア５１と、下側ギア５２と、トレイ昇降部５３とを有している。トレイ昇降部５３は、第１部分５０１と、第１部分よりも低く形成された第２部分（カット部）５０２とを有している。トレイ６が読出位置に収納されている場合には、クランパ７の突起部７３は第２部分５０２の上面に接触している。一方、トレイ６が取出位置にある場合には、クランパ７の突起部７３は、第１部分５０１に接触している。
【００２３】
〔動作〕
トレイ駆動用ギア５が回転してトレイ６が読出位置から取出位置に移動すると、突起部７３は第１部分５０１に移動して押し上げられる。これにより、クランパ本体７１は、クランプ用スプリング７４に抗して支持軸７５を中心に上方に回動する。この結果、ディスククランプ部７２によるディスククランプが解除されると共に、固定部８１によるトレイ６の固定が解除される。
【００２４】
その後、トレイ駆動用ギア５が逆に回転してトレイ６が取出位置から読出位置に移動すると、突起部７３はクランプ用スプリング７４の付勢により下方に移動する。突起部７３は第２部分５０２の高さまで下がり、クランパ本体７１も支持軸７５を中心に、下方に回動する。クランパ本体７１が下方に移動すると共に、テーブル１０が上方に移動してディスク固定部１３がディスク１００の下面に接触する。このとき、ディスククランプ部７１は磁力によりディスク固定部１３に引き寄せられ、ディスククランプ部７１及びディスク固定部１３により、ディスク１００が挟持される。また、クランパ本体７１が下方に移動すると、トレイ連動板８も下方に移動し、固定部８１が蓋部６１に隣接する後側でトレイ６を挟み込んで固定する。即ち、クランパ７は、ディスククランプと同時にトレイ６を固定する。
【００２５】
〔まとめ〕
この光ディスク装置によれば、クランパ７の固定部８１がトレイ６を挟み込んで固定するので、実質的にトレイ６の重量が大きくなり、内部及び外部からのトレイ６の振動を低減し得る。これにより、再生及び記録時においてトレイ６の振動を低減し、サーボ制御の安定化を図れる。
【００２６】
また、図３に示すように、トレイ６の前面側を固定部８１により挟み込むので、蓋部６１とフロントパネルとの隙間から侵入する埃を低減し、防塵性を向上し得る。
また、図３に示すように、トレイ６の前面側を固定部８１により挟み込むので、蓋部６１とフロントパネルとの隙間から侵入する音圧や風圧を遮ることができ、サーボ制御に与える影響を低減し得る。
【００２７】
また、図３に示すように、トレイ６の前面側を固定部８１により挟み込むので、蓋部６１とフロントパネルとの隙間から漏れる運転音を低減し、静寂性を向上し得る。
【００２８】
【発明の効果】
本発明によれば、カートリッジを使用しない光ディスク装置において、トレイの振動を低減し得る。
また、本発明によれば、光ディスク装置の前面側から侵入する埃を低減し得る。
【００２９】
また、本発明によれば、光ディスク装置の前面側から侵入する風圧や音圧を低減し得る。
また、本発明によれば、光ディスク装置の前面側から漏れる運転音を低減し得る。
【図面の簡単な説明】
【図１】従来の光ディスク装置の上面図。
【図２】本発明の一実施形態例に係る光ディスク装置の上面図。
【図３】この光ディスク装置の前面図。
【図４】この光ディスク装置の右側面図。
【図５】この光ディスク装置の左側面図。
【図６】水平駆動用ギアの拡大図。
【符号の説明】
１　メカシャーシ
２　トレイ駆動用モータ
３　ベルト
４　内側駆動用ギア
５　トレイ駆動用ギア
６　トレイ
７　クランパ
８　トレイ連動板
１０　テーブル
１１　ピックアップ駆動モータ
１２　ディスク回転モータ
１３　ディスク支持部
５１　上側ギア
５２　下側ギア
５３　トレイ昇降部
６１　蓋部
６２　溝部
６３　往復ギア
７１　クランパ本体
７２　ディスククランプ部
７３　突起部
７４　クランプ用スプリング
７５　支持軸
８１　固定部
８２　連結棒
５０１　第１部分
５０２　第２部分（カット部）
【図１】
2004039192.tif 000003
【図２】
2004039192.tif 000004
【図３】
2004039192.tif 000005
【図４】
2004039192.tif 000006
【図５】
2004039192.tif 000007
【図６】
2004039192.tif 000008